(57)【要約】【課題】魚釣用リールの巻き取りスプールを仕掛け投入時には投入方向に向け、巻き取り時には回動して両軸式として巻き取り力を向上する。【解決手段】主体１の基台１１内に配置した回転ソケット２にスプール２３を軸支し、該回転ソケットを回転軸２２２により一定角度回転可能に軸支する。  道糸の巻き取り操作は、ハンドルと連動する巻き取り装置3を介して行い、スプールの回転操作は回転装置４により行う。仕掛けの投入操作を行うとき、ケース側面に設けたプルロッドの回転操作により回転装置４の手動ギア組４１以下を連動して上記回転軸２の廻りに回転ソケットを回転し、同時に挿入片１１３のスライド移動を連動させてスプールの巻き取り駆動装置との接続を離脱する。【選択図】図４
2008301819.tif 000002
【特許請求の範囲】
【請求項１】
主体、回転ソケット、巻き取り装置および回転装置から構成され、
該主体は、内部に回転ソケットを収容する収容空間を形成した基台を具え、
該基台は、該空間内前後側壁に結合部を設けると共にその両側辺に挿入片と軸孔を設け、
該回転ソケットは、その基部に垂直に糸巻きスプールを回転可能に軸支すると共にスプールの巻き取り軸を該基部を貫通して突出し、該巻き取り軸及びスプールの他端に巻き取り装置の挿入軸に対してそれぞれ係脱可能とし、
該基部から両側に延長して形成したアームにより該基台内側に設けた結合部に回転ソケットを該垂直方向から横方向に向けて回転可能、かつスライド可能に軸支し、
該巻き取り装置は、一対の挿入軸を具え、それぞれ基台両側の軸孔を貫通して上記スプールの巻き取り軸及びその他端側とそれぞれ軸方向のスライドにより係脱可能とすると共に、駆動側の挿入軸を巻き取りギアと噛み合わせて巻き取り操作可能とし、
該回転装置は、リール外側のプルロッドの操作により回転する手動ギア組を設け、
該手動ギアと連動する従動ギアにより上記基台側辺の挿入片をスライド移動させて挿入片に設けた斜凸部によって上記挿入軸を軸方向に押圧スライド移動させてスプールに対する上記巻き取り装置の挿入軸との係脱操作を行い、
さらに、該従動ギアはこれらの操作と共に上記回転ソケットを軸支する回転軸に掛合して回転ソケットを該垂直方向から横方向に向けて回転操作可能としたことを特徴とする、スプールを縦横回転可能な釣用リール。
【請求項２】
前記基台の収容空間前後両側に設けた１方の結合部外側に釣竿に固定するフレームを配置し、基台左右両側にカバーとなる蓋体を設け、且つ２つの蓋体内壁面に上記基台の軸孔の位置に整合して定位部を設け、回転装置の挿入軸の他側にバネを介挿して該定位部上にスライド可能に軸支したことを特徴とする請求項１記載のスプールを縦横回転可能な釣用リール。
【請求項３】
前記基台左右両側辺にそれぞれ挿入片をスライド移動させるガイド溝を設け、挿入片外側に該ガイド溝に沿って挿入軸を軸方向に押圧してスプールを離脱する斜凸部を設け、
その斜凸部を通るスリットを設けると共に該スリットに隣接してこれと垂直方向の定位スライド溝を設けて、該スライド溝に嵌合動作する手動ギアの偏芯軸の垂直動作に伴って該挿入片を上記ガイド溝に沿ってスライド移動させ、
基台両側のガイド溝上の挿入片のスリットの上記挿入軸に対応する位置にそれぞれ収容空間内に貫通する軸孔を貫通して前記挿入軸を軸支し、該挿入片のスライド移動に伴って挿入軸をその軸方向にスライド移動させて挿入軸とスプールの係脱操作を行うようにしたことを特徴とする請求項１記載のスプールを縦横回転可能な釣用リール。
【請求項４】
前記従動ギア組の連動軸が基台左右両側を貫通する位置にそれぞれ従動ギアおよび回転ホイールを設け、且つ従動ギアが手動ギア組の手動ギアと相互に噛み合って回転するようにし、その従動ギア、回転ホイールの一側の凸柱をそれぞれ挿入片の対応する定位スライド溝に貫通させてスライドするようにしたことを特徴とする請求項３記載スプールを縦横回転可能な釣用リール。
【請求項５】
前記基台両側の挿入片の斜凸部側辺に上向きに推進面を斜めに延伸形成し、且つ推進面が斜凸部上縁の係止面にむけて緩やかになり、挿入軸が推進面に沿って軸方向の係脱方向にスライド移動し、回転ソケットのスプールが対応する挿入軸の係合部及び接合孔から離脱するようにしたことを特徴とする請求項３記載のスプールを縦横回転可能な釣用リール。
【請求項６】
前記回転ソケットの基部両側にそれぞれ同一方向に支持アームを延伸し、そのうちの１つの支持アームに回転盤を設け、且つ回転盤の回転軸を支持アーム外に貫通して基台前側の結合部とスライド可能に軸支し、回転盤の回転軸の一側に凸柱を設け、凸柱は、支持アームのこれと対応して設けられた弧状のガイド溝内にスライド移動可能とし、回転軸末端が従動ギア組の連動軸上の駆動部に接続して回転軸を連動し、回転ソケットを連動し、そのスプールが左向きまたは右向きに９０度の回転するようにしたことを特徴とする請求項１記載のスプールを縦横回転可能な釣用リール。
【請求項７】
前記回転ソケットのもう１つの支持アーム外側の回転軸を基台後側の結合部とスライド可能に軸支し、且つ回転軸外縁に制動バネを設け、回転ソケットの回転復位が必要とするねじれの復元力を提供し、回転装置の駆動部がギア組、駆動接続ロッドまたはベルトおよびプーリー等の動力を伝送する装置であり、スプールがそれぞれ回転ソケットの回転軸と回転装置の連動軸上に相互に斜め向きに噛み合う第１傘形ギアおよび第２傘形ギアを設けたことを特徴とする請求項６記載のスプールを縦横回転可能な釣用リール。
【請求項８】
前記回転ソケットが基部内側表面にスプールを軸支し、軸方向にスプールの巻き取りを連動する係合部を貫通設置し、且つスプールの係合部に相対するもう一側表面に接合孔を設け、回転装置のそのうちの挿入軸上に巻き取りギア組の巻き取りギアと噛み合うギアを設け、挿入軸の一側の嵌合部がスプールの対応する係合部内に嵌合し、もう１つの挿入軸上に係止環を設け、挿入軸の一側は、スプールの対応する接合孔に軸支し、スプールの係止部と挿入軸の嵌合部が相互に対応してスライド可能に嵌合する凹溝または凸ブロックとしたことを特徴とする請求項１記載のスプールを縦横回転可能な釣用リール。
【請求項９】
前記巻き取り装置の巻き取りギア両側にそれぞれ連動ギアを噛み合わせ、且つ連動ギア上に基台の収容空間内に延伸するガイドロッドを貫通設置し、２つのガイドロッド上にスライドソケットおよびその間にまたがる弧状導線環をスライド可能に配置して、道糸の巻き取り操作を行い、巻き取りギアを貫通設置した巻き取り軸上に巻き取りギア組の巻き取り操作を連動する把手および把手表面の螺子山に巻き取り軸と突き合わせ接合させたロック片を接続したことを特徴とする請求項１記載のスプールを縦横回転可能な釣用リール。
【請求項１０】
前記手動ギア組の手動ギアに回転軸を貫通し、且つ回転軸が基台の一側の外に貫通し、順に２つの定位ラッチ板および手動ギア組の回転に連動するプルロッドを設け、その定位ラッチ板間に位置して偏心軸を滑動ブロックの開溝内に当接し、且つ滑動ブロック下方に基台外側表面の締結部上に軸支する緩衝バネを設け、そのうち１つの定位ラッチ板側縁に外向きに基台外側表面の２つの係止部間を回転支持できる突出部を設けたことを特徴とする請求項１記載のスプールを縦横回転可能な釣用リール。
【発明の詳細な説明】
【技術分野】
【０００１】
本発明は、魚釣り用具のスプール回転リールに関し、特に、スプールに直立または横置き回巻き取り作をすることができるリールであり、釣竿にセットして仕掛けを飛ばす時、直立方式で抵抗力を減少させ、道糸を巻き取る時は横置き方式で必要な巻き取り力を提供することが可能で、その適用範囲を大幅に拡大し、全体の使用上の機能と効果を向上することができるスプール回転リールに関する。
【背景技術】
【０００２】
近年、国民生活水準の向上に伴い、人々は、娯楽運動を益々重視し、週休二日または連休毎に、仕事と睡眠の生活以外に、屋外でハイキングや運動の時間を有し、運動によって身体の新陳代謝を促進することを心がけるようになっている。更に、大自然の環境から深い体験及び薫陶を受け、日常生活中の過度なストレスを開放し、気持ちをリラックスさせ、同時に文明病ともされるような身体の健康に影響を及ぼすことを回避し、且つ娯楽運動の観念と関連する産業の発展の下、釣り滑動は、迅速に発展しており、長期に渡り人気のある運動の一つである。多くの人々が釣りに親しんで戸外滑動するが、一般にこれら池釣り、渓流釣り、海釣りの三種の釣り方式等の魚釣りは、天候、水量等の多くの環境条件に合わせ、釣りの方法及び使用する釣りえさ等の多種の釣りの技巧に細心の研究が必要であり、細心さと忍耐を培い、環境の影響を受けずに心に落ち着かせ、思考することができるようにする娯楽運動ということができる。
【０００３】
海釣りは、多種の釣り方式に分けられ、船釣り、磯釣り、灘釣り等を含み、更に、海中の魚の種類も豊富で多様化しており、多様性、刺激性を好む愛好者にとって、十分な魅力を有する。従来の釣りに使用するリールは、スピニング式リールと両軸式リールに分けられるが、スピニング型リールの構造の例として、図１３は、従来の構造説明図である。それは、基台Ａの一側にセットされる釣竿に合致するフレームＡ１を設け、基台Ａの他の側に回転構造ＢとそのスプールB１を滑動的に軸支し、且つスプールＢ１は直立であり、予め設けた釣竿と相互に平行であり、使用者が釣竿に対して仕掛けを投げる時、ベイルＢ２を開いてスプールＢ１上に巻かれた道糸Ｄを自由に引き出すことができる。この時、道糸Ｄは、スプールＢ１を連動せずに仕掛けの重さで引かれてスプールから巻きほどかれてゆくため、抵抗が小さく、遠投に適している。使用者が釣竿にセットしたリールの巻き取り操作を行う時、基台Ａ上の把手Ｃを回動操作すると回転構造Ｂを連動して回転し、ベイルＢ２が軸支する回転子Ｂ２１によって９０度近くまで転折してスプールＢ１上にセットされて道糸Ｄの巻き取りを行うことができるが、この種の方式は巻き取り力が小さく、スプールＢ１に対して高い負荷をかけた巻き取り操作を行うことができない。
【０００４】
更に、両軸式リール構造を例とする場合、図１４は、従来のもう１つの構造説明図である。基台Ａの一側にセットされる釣竿に合致するフレームＡ１を設け、基台Ａ内側にスプールＢ１を回転可能に軸支する。スプールＢ１は釣竿対して垂直な、横置きでであり、使用者が釣竿を操作して仕掛けを投げる時、そのスプールＢ１に巻き取られた道糸ＤをガイドロッドＢ３上のスライドソケットＢ４の導線環Ｂ４１を通して順に引き出し、この時、道糸ＤはスプールＢ１を連動してその回転に伴って引き出されるが、この種の方式は、糸投げ時の抵抗力が大きく、道糸Ｄを迅速にスプールＢ１の外に引き出すことができず、遠投操作を効率的に行うことができない。使用者が釣竿にセットしたリールの巻き取り操作を行う時、基台Ａ上の把手Ｃを回転してスプールＢ１を連動して回転させる、道糸ＤをガイドロッドＢ３上のスライドソケットＢ４の導線環Ｂ４１の左右のスライド移動に伴って直接スプールＢ１上に整列して巻き取ることがでる。即ち、スプールＢ１の巻き取り力を増加でき、使用者が道糸ＤをスプールＢ１に巻き取ることに便利であり、且つスプールＢ１に効率的に高い負荷を伴う巻き取り操作をすることができる。
【０００５】
従って、スプールの方向を釣り竿に対して直立または横置き回転できるリールを研究開発設計できれば、直立方式により仕掛け投入時の抵抗力を減少し、横置き方式によって巻き取り時に必要な高い張力を提供でき、抵抗力が過大または張力が不足する問題及び欠陥の発生を回避でき、適用範囲を大幅に増加でき、全体の使用上の機能と効果を向上させることができ、これは、当業者が研究改善を欲する所である。
【特許文献１】特開２００１−２０４３２３号公報
【発明の開示】
【発明が解決しようとする課題】
【０００６】
本発明の目的は、リールをセットした釣竿で投入操作する時に直立方式により抵抗力を減少し、糸巻き時は横置き方式で必要な高い張力を提供し、適用範囲の大幅な向上を達成でき、使用上の機能及び効果を向上させることである。
【課題を解決するための手段】
【０００７】
本発明のスプール回転リールは、スプールに対して直立または横置き回巻き取り作を行うことができ、釣竿で投入操作する時、直立方式で抵抗力を減少させ、巻き取り時、横置き方式で高い張力を提供することができるリールであって、主体、回転代ソケット、巻き取り装置および回転装置から構成され、該主体の基台内部に回転ソケットを収容できる収容空間を形成し、且つ収容空間内側壁上に結合部を設け、基台の両側辺にそれぞれ挿入片と軸孔を設けてなり、該回転ソケットは、基台の結合部上にスライド可能に軸支し、且つ回転ソケット内側に道糸を巻き取るスプールを軸支し、且つスプールは、回転ソケットと垂直を呈してなり、該巻き取り装置の複数挿入軸は、それぞれ基台両側の軸孔内に貫通してスプールと係合または離脱状態を呈し、そのうちの１つの挿入軸が巻き取りギア組と噛み合い、挿入軸にスプールを連動させ、回転するようにしてなり、該回転装置は、手動ギア組の回転を連動できるプルロッドを接続し、手動ギア組に基台両側の挿入片を連動し側面方向に押し挿入軸をスプールから離脱させることができる従動ギア組を噛み合わせ、且つ従動ギア組は、回転ソケット上に接続する駆動部を設け、駆動部によって同一ステップで回転ソケットを連動し、そのスプールをセットした方向を直立または横置き回転状態を形成する。
【発明の効果】
【０００８】
本発明は、主体の基台内部に回転ソケットを収容できる収容空間を形成し、収容空間の前後両側にそれぞれ結合部を設け、基台の左右両側にそれぞれ挿入片と軸孔を設け、回転ソケットを基台の結合部上にスライド可能に軸支し、且つ内側にスプールを軸支した後、巻き取り装置の挿入軸を基台両側の軸孔内に貫通しスプールと係合または離脱状態を呈するようにし、使用者が回転装置のプルロッドを引くと、手動ギア組によって従動ギア組を連動し、基台両側の挿入片を連動し側面方向に押し挿入軸をスプールから離脱させ、従動ギア組がスプール回転が直立または横置き回転状態となるように連動し、スプールをセットした釣竿で投入操作を行う時に直立方式により抵抗力を減少し、巻き取り時は横置き方式で必要な高い巻き取り力を提供し、適用範囲の大幅な向上を達成でき、使用上の機能及び効果を向上させる。
【発明を実施するための最良の形態】
【０００９】
図１、図２、図３、図４、図５は、本発明の立体外観図、立体分解図、別視角の立体分解図、立体局部分解図、使用前の立体断面図であり、図から分かるように、本発明は、主体１、回転ソケット２、巻き取り装置３および回転装置４（図４参照）から構成され、本願発明の主要な構成要素とその特徴の詳細は後に記載する。該主体１は、一対のプレートからなる基台１１と蓋体１２、１２から構成され、該基台１１内に回転ソケット２を収容する収容空間１１０を形成し、且つ収容空間１１０の前後両側にそれぞれ結合部１１１を設ける。本発明の好適な実施例は、収容空間１１０前後両側にそれぞれ結合部を設けて説明するが、実際の応用時、これに限定するものではなく、収容空間１１０内に１つの壁面上に１つ以上の結合部１１１を有する構成とてそれらの１つの結合部１１１の外側に釣竿５上にセットするためのフレーム１１２を結合することもできる。
基台１１左右両側辺にそれぞれ挿入片１１３、１１３を一定範囲スライド移動させるガイド溝１１４を設け、更に、挿入片１１３外側表面に台形状の斜凸部１１３１を設け、その斜凸部１１３１側辺上に推進面１１３２を斜めに延伸して形成し、その傾斜を斜凸部１１３１上縁の係止面１１３３近傍で緩やかにする。挿入片１１３にはこの斜凸部１１３１を通る横向きのスリット１１３４を開設し、さらにスリット１１３４の一側に隣接して縦方向に定位スライド溝１１３５を開設する。基台１１両側のガイド溝１１４の挿入片１１３のスリット１１３４に対応する箇所にそれぞれ収容空間１１０内に貫通する軸孔１１５を設ける。基台１１の左右両側に相互に対応する蓋体１２を有し、且つ２つの蓋体１２内壁面上に軸孔１１５の位置に整合した定位部１２１を設ける。
【００１０】
該回転ソケット２は、コ型状の片体であり、回転ソケット２の基部２１両側にそれぞれ同一方向に支持アーム２２を延伸し、且つそのうちの１つの支持アーム２２に回転盤２２１を設け、回転盤２２１の回転軸２２２を支持アーム２２外に貫通して基台１１前側の結合部１１１に回動可能に軸支し、回転盤２２１の回転軸２２２の一側に凸柱２２３を設け、凸柱２２３は、支持アーム２２にこれと対応して開設した弧状のガイド溝２２４内でスライド移動し、また、もう１つの支持アーム２２外側の回転軸２２５は、基台１１後側の結合部１１１に回動可能に軸支し、その回転軸２２外縁に制動バネ２２６を設けて、該制動バネ２２６によって回転ソケット２に上記弧状の溝の範囲内で回動して原位置に復元するのに必要な回転復元力を付与する。また、回転ソケット２の内側基部２１に道糸６を巻き取るスプール２３を軸支する。スプール２３は、基部２１に対して直角に配置され、スプール２３の軸廻りの回転に連動する係合部２３１を基部を貫通して設け、スプール２３の係合部２３１の反対側に接合孔２３２を凹設する。
【００１１】
該巻き取り装置３は、一対の挿入軸３１、巻き取りギア組３２および把手３３から構成され、複数の挿入軸３１は、それぞれ順に基台１左右両側に設けられる挿入片１１３のスリット１１３４およびガイド溝１１４上の軸孔１１５を貫通して設置され、回転ソケット２のスプール２３と係合または離脱する。
そのうち１つの挿入軸３１上にギア３１１を設け、挿入軸３１の一側の嵌合部３１２を基台１１のスプール２３の対応する係合部２３１に嵌合し、且つ挿入軸３１の他方側にバネ３１３に挿通して蓋体１２のこれに対応する定位部１２１上に軸支する。
巻き取りギア組３２の巻き取りギア３２１がギア３１１に噛み合い、挿入軸３１を介してスプール２３を連動させて回転させる。すなわち、道糸の巻き取り操作を行う。
もう１つの挿入軸３１には係止環３１４を設け、基台１１の他側のスプール２３のこれに対応する接合孔２３２に軸支し、バネ３１３を介して挿入軸３１を蓋体１２の定位部１２１に軸支する。
巻き取りギア３２１両側にそれぞれ連動ギア３２２を噛み合わせ、且つ連動ギア３２２に接続してそれぞれ基台１１の収容空間１１０内に差し渡されたスパイラルギアを具えたガイドロッド３２３を設け、２つのガイドロッド３２３にスライドソケット３２４およびその間を跨ぐ弧状導線環３２５をスライド可能に接続して、スプール２３に対する道糸６の巻き取り操作を便利に行うことができる。巻き取りギア３２１を貫通して設置する巻き取り軸３２１１に巻き取りギア組３２の回転に連動する把手３３と把手３３表面の螺子山３３１を巻き取り軸３２１１と突き合わせるロック片３３２を接続する（図３参照）。
【００１２】
該回転装置４は、手動ギア組４１、プルロッド４２および従動ギア組４３から構成され、回転軸４１２を手動ギア組４１の手動ギア４１１を貫通して設置し、巻き取り軸４１２は基台１１の図中右側の挿入片１１３のスリット１１３４外に貫通して順に２つの定位ラッチ板４１３と手動ギア組４１の回転に連動するプルロッド４２に接続する。
２つの定位ラッチ板４１３間において偏心軸４１３１を滑動ブロック４１４の開溝４１４１内に陥入し、滑動ブロック４１４下方は、基台１１外側表面の締結部１１６上に軸支する緩衝バネ４１５に接続し、定位ラッチ板４１３側縁から外向き突出部４１３２を延伸して、基台１１外側表面に設けた２つの係止部１１７間に規制された回動操作を行う。更に、手動ギア組４１の一側は、従動ギア組４３に噛み合い連動し、従動ギア組４３の連動軸４３１は、基台１１左右両側を貫通する位置にそれぞれ従動ギア４３２及び回転ホイール４３３を設け、且つ従動ギア４３２は、主動ギア組４１の主動ギア４１１と相互に噛み合って巻き取りし、該従動ギア４３２及び連動軸４３１を介して回転する回転ホイール４３３の一側に設けられた凸柱４３２１、４３３１はそれぞれ挿入片１１３のこれと対応する定位スライド溝１１３５外に貫通して配置された構成により、縦方向にスライド動作を行うと共に、挿入片１１３をガイド溝１１４内で横方向の往復スライド移動させる。連動軸４３１中央位置に設けた駆動部４３４が回転ソケット２の一側の支持アーム２２の回転盤２２１の回転軸２２２端に接続し、回転軸２２２を軸心として回転ソケット２とスプール２３を連動して一定角度傾動する。
【００１３】
上記回転ソケット２は、スプール２３の係合部２３１と巻き取り装置３の挿入軸３１一側の嵌合部３１２とが、それぞれ相対してスライド可能に嵌合する凹溝または凸ブロックを構成しており、挿入軸３１の嵌合部３１の嵌合部３１２は、スプール２３の対応する係合部２３１とスライド可能に嵌合し、巻き取りギア組３２の巻き取りギア３２１が挿入軸３１のギア３１１と噛み合うことによりスプール２３を巻き取り状態で駆動する。
一方、回転装置４の駆動部４３４は、ギア組、駆動接続ロッドまたはベルトおよびプーリー等の動力を伝動する装置であり、ギア組は、それぞれ回転ソケット２の回転軸２２２と回転装置４の連動軸４３１が相互に斜め方向に噛み合う第１傘形ギア４３４１及び第２傘形ギア４３４２をそれぞれ配置して、回転装置３の回転軸４３１が回転すると駆動部４３４を連動し、回転ソケット２の回転軸２２２を連動して滑動回転をし、回転ソケット２がそれに伴って回転して一定角度傾斜する。本発明の明細書及び図面の内容の簡易な修正及び同一効果を有する構造の変化は、何れも本考案の専利範囲内に含まれるべきである。
【００１４】
本発明の組み立て時、先ず、回転ソケット２を基台１１の収容空間１１０内に収容し、基部２１両側の支持アーム２２上の回転軸２２２、２２５をそれぞれ基台１１前後両側の結合部とスライド可能に軸支し、回転ソケット２の基部２１と基台１１左側の挿入片１１３を平行として巻き取り装置３の複数の挿入軸３１をそれぞれ順に基台１１両側の挿入片１１３のスリット１１３４およびガイド溝１１４の軸孔１１５内に貫通させ、回転ソケット２のスプール２３を係合または離脱の状態で巻き取りギア組３２の巻き取りギア３２１が挿入軸３１のギア３１１に噛み合ってスプール２３を巻き取りするように配置し、回転装置４の手動ギア組４１の伝動軸４１２を基台１１右側挿入片１１３のスリット１１３４外に貫通させ、且つ従動ギア組４３の連動軸４１２がそれぞれ基台１１左右両側の位置に貫通し、その従動ギア４３２と回転ホイール４３３の凸柱４３２１，４３３１をそれぞれ挿入片１１３の対応する定位スライド溝１１３５外に貫通させた後、駆動部４３４を回転ソケット２一側の支持アーム２２の回転盤２２１の回転軸２２２に接続し、回転ソケット２とそのスプール２３を回動して一定角度傾動するようにし、基台１１左右両側を覆蓋する蓋体１２の定位部１２１をそれぞれ巻き取り装置３が対応する挿入軸３１とスライド可能に軸支し、同時に巻き取りギア３２１の巻き取り軸３２１１と手動ギア４１１の巻き取り軸４１２を何れも蓋体１２外に貫通し、それぞれ把手３３、プルロッド４２と相互に接続して本発明全体の組み立てを完成する。
【００１５】
図５〜図１０は、それぞれ本発明の使用前の立体断面図、俯瞰断面図、使用時の立体断面図（一）、立体断面図（二）、使用後の俯瞰断面図および立体断面図であり、図から分かるように、使用者が回転装置４のプルロッド４２を引き、順時計回り方向に回転させると、２つの定位ラッチ板間の偏心軸４１３１が当接する滑動ブロック４１４とその緩衝バネ４１５により適切な弾性抵抗力を受け、定位ラッチ板４１３の突出部４１３２の回転を基台１１の係止部１１７に規制させ、プルロッド４２が外力により意図しない操作を容易に発生しないようにする。
手動ギア組４１の手動ギア４１１が従動ギア組４３の従動ギア４３２を連動し、連動軸４３１の巻き取りホイール４３３と駆動部４３４を連動し、その従動ギア４３２と巻き取りホイール４３３の凸柱４３２１、４３３１にそれぞれ基台１１左右両側の挿入片１１３の定位スライド溝１１３５内をスライド移動させて、挿入片１１３を連動してガイド溝１１４内壁面に沿って往復スライド移動させる。この時、挿入片１１３の斜凸部１１３１が側面方向に巻き取り装置３の挿入軸３１を押し上げ、挿入軸３１の受けた力により圧縮バネ３１３が弾性変形して斜凸部１１３１の推進面１１３２に沿って軸方向に係合面１１３３の位置にスライド移動することにより、基台１１左右両側の挿入軸３１をそれぞれ回転ソケット２のスプール２３の係合部２３１と係合孔２３２の制限から離脱させる。
【００１６】
手動ギア４１１が従動ギア４３２を連動し、連動軸４３１上の駆動部４３４を連動して駆動すると、駆動部４３４の回転に伴って回転ソケット２の一側の支持アーム２２の回転盤２２１上の回転軸２２２を連動し、回転軸２２２の一側の凸柱２２３が、支持アーム２２のこれと対応するガイド溝２２４内でスライド移動し、且つ凸柱２２３がガイド溝２２４内の一側端から他端側へスライド移動すると、その移動範囲に応じて回転軸２２２を軸心として回転ソケット２とそのスプール２３を連動して予め定めた左向きまたは右向きの90度回転して、スプール２３を直立または横置き回転の状態とすることができる。
【００１７】
また、回転ソケット２は、他の側の支持アームの回転軸２２５外側に制動バネ２２６を設けており、且つ制動バネ２２６は、回転ソケット２の回転の復位が必要なねじれの復元力を提供することができるので、回転ソケット２全体の回転復位過程をより安定させることができる。
【００１８】
また、使用者がリールをセットした釣竿５により仕掛けの投入操作する時、回転装置４のプルロッド４２を引いて逆時計回り方向に回転操作し、基台１１内部に収容する回転ソケット２とそのスプール２３を連動して左向きに90度に回転させ、リールをセットした釣竿５と相互に平行な直立状態とすると、スプール２３に巻き取った道糸６をスライドソケット３２４の導線環３２５に沿って勢い良く引き出すことができ、且つ仕掛けの投入操作中、繰り出される道糸６がスプール２３の回転を連動しないので、仕掛けの投入に伴って繰り出される糸の抵抗力を減少させることができ、使用者が道糸６をスプール２３の外に迅速に引き出すことができ、遠投操作を効率的に行うことができる（図１１参照）。
【００１９】
上記のように、使用者が釣竿５に対して巻き取り操作を行う時、回転装置４のプルロッド４２を引き順時計回り方向に回転させると、基台１１内部に収容する回転ソケット２とそのスプール２３が右向き90度の回転し、釣竿５と相互に垂直な横向き状態となって巻き取り装置３の把手３３によってスプール２３を連動し、巻き取り操作を行い、道糸６をスライドソケット３２４の導線環３２５に沿ってスプール２３上に直接巻き取ることができ、スプール２３の巻き取り時の負荷に相対して対応でき、使用者が道糸６をスプール２３に巻き取る操作を容易に行うことができる（図１２参照）。
【００２０】
従って、本発明の特徴は、主体１の基台１１内に回転ソケット２を収容し、その基部２１両側の支持アーム上の回転軸２２２、２２５にそれぞれ基台１１の前後両側の結合部１１１とスライド可能に軸支させ、巻き取り装置３の一対の挿入軸３１がそれぞれ順に基台１１左右両側の挿入片１１３のスリット１１３４とガイド溝１１４の軸孔１１５内に貫通し、回転ソケット２のスプール２３と係合または離脱の状態とし、巻き取り装置３の巻き取りギア組３２が挿入軸３１上に噛み合いスプール２３に巻き取るようにし、スプールの回転装置４の手動ギア組４１の回動軸４１２が基台１１の挿入片１１３のスリット１１３４外に貫通し、且つ従動ギア４３の連動軸４３１がそれぞれ基台１１左右両側の位置に貫通し、従動ギア４３２と回動ホイール４３３の凸柱４３２１、４３３１をそれぞれ挿入片１１３が対応する定位スライド溝１１３５外に貫通させ、連動軸４３１の駆動部４３４が回転ソケット２一側の支持アーム２２の回転盤２２１上の回転軸２２２に接続し、直立または横置き回転状態とすることができ、それにより下記の利点を有する。
【００２１】
本発明は、使用者が回転装置４のプルロッド４２を引いて順時計回り方向に回転させると、主動ギア組４１が従動ギア組４３を連動し、基台１１両側の挿入片１１３を連動し、側向きに挿入軸３１を押圧してスプール２３を離脱し、従動ギア組４３の駆動部４３４をスプール２３を連動して左向きまたは右向きに９０度回転させ、スプール２３に直立または横置き回転状態とし、釣竿５により投入操作を行う時、スプールを直立状態として抵抗力を減少させ、巻き取り時には横置き方式として必要な巻き取り力を提供することができ、その適用範囲を大幅に増加し、全体の使用上の機能と効果を顕著に向上させる。
【００２２】
なお、本発明では好ましい実施例を前述の通り開示したが、これらは決して本発明を限定するものではなく、当該技術を熟知する者なら誰でも、本発明の精神と領域を脱しない均等の範囲内で各種の変動や潤色を加えることができることは勿論である。
【図面の簡単な説明】
【００２３】
【図１】本発明の立体外観図である。
【図２】本発明の立体分解図である。
【図３】本発明の別視角の立体分解図である。
【図４】本発明の立体局部分解図である。
【図５】本発明の使用前の立体断面図である。
【図６】本発明の使用前の俯瞰断面図である。
【図７】本発明の使用時の立体断面図（一）である。
【図８】本発明の使用時の立体断面図（二）である。
【図９】本発明の使用後の俯瞰断面図である。
【図１０】本発明の使用後の立体断面図である。
【図１１】本発明の好適な実施例の使用状態図である。
【図１２】本発明のもう１つの好適な実施例の使用状態図である。
【図１３】従来の構造説明図である。
【図１４】もう１つの従来の構造説明図である。
【符号の説明】
【００２４】
１  主体
１１  基台
１１０  収容空間
１１１  結合部
１１２  フレーム
１１３  挿入片
１１３１  斜凸部
１１３２  推進面
１１３３  係止面
１１３４  スリット
１１３５  定位スライド溝
１１４  ガイド溝
１１５  軸孔
１１６  締結部
１１７  係止部
１２  蓋体
１２１  定位部
２  回転ソケット
２１  基部
２２  支持アーム
２２１  回転盤
２２２  回転軸
２２３  凸柱
２２４  ガイド溝
２２５  回転軸
２２６  制動バネ
２３  スプール
２３１  係合部
２３２  接合孔
３  巻き取り装置
３１  挿入軸
３１１  ギア
３１２  嵌合部
３１３  バネ
３１４  係止環
３２  巻き取りギア組
３２１  巻き取りギア
３２１１  巻き取り軸
３２２  連動ギア
３２３  ガイドロッド
３２４  スライドソケット
３２５  導線環
３３  把手
３３１  螺子山
３３２  ロック片
４  回転装置
４１  手動ギア組
４１１  手動ギア
４１２  回転軸
４１３  定位ラッチ板
４１３１  偏心軸
４１３２  突出部
４１４  アクティブブロック
４１４１  開溝
４１５  緩衝バネ
４２  プルロッド
４３  従動ギア組
４３１  連動軸
４３２  従動ギア
４３２１  凸柱
４３３  回転ホイール
４３３１  凸柱
４３４  駆動部
４３４１  第１傘形ギア
４３４２  第２傘形ギア
５  釣竿
６  道糸
Ａ  基台
Ａ１  フレーム
Ｂ  回転構造
Ｂ１  スプール
Ｂ２  導線環
Ｂ２１  回転子
Ｂ３  ガイドロッド
Ｂ４  スライドソケット
Ｂ４１  導線環
Ｃ  把手
Ｄ  道糸
【図１】
2008301819.tif 000003
【図２】
2008301819.tif 000004
【図３】
2008301819.tif 000005
【図４】
2008301819.tif 000006
【図５】
2008301819.tif 000007
【図６】
2008301819.tif 000008
【図７】
2008301819.tif 000009
【図８】
2008301819.tif 000010
【図９】
2008301819.tif 000011
【図１０】
2008301819.tif 000012
【図１１】
2008301819.tif 000013
【図１２】
2008301819.tif 000014
【図１３】
2008301819.tif 000015
【図１４】
2008301819.tif 000016